(57)【要約】【課題】消費電力が低く、液晶表示パネルの大型化にも対応可能な広視野角のバックライト装置及び液晶表示装置を低コストに提供する。【解決手段】出射面の法線方向に指向性を有する光を出射する複数のバックライトユニットを備えたバックライト装置１であって、複数のバックライトユニット２，３，４は、その出射面の法線方向が互いに異なる方向となるように配置されると共に、バックライトユニット単位で、光源５を独立に点灯、消灯、調光可能とされた。【選択図】図１
2010218739.tif 000002
【特許請求の範囲】
【請求項１】
出射面の法線方向に指向性を有する光を出射する複数のバックライトユニットを備えたバックライト装置であって、複数の前記バックライトユニットは、その出射面の法線方向が互いに異なる方向となるように配置されると共に、バックライトユニット単位で、光源を独立に点灯、消灯、調光可能とされたことを特徴とするバックライト装置。
【請求項２】
前記バックライトユニットは、プリズムシートによって出射面の法線方向に対する光の指向角が６０°以内に絞られていることを特徴とする請求項１又は２に記載のバックライト装置。
【請求項３】
複数の前記バックライトユニットは、その出射面から出射される光の中心方向が６０°以下の角度で互いに交わるように配置されていることを特徴とする請求項３に記載のバックライト装置。
【請求項４】
前記バックライトユニットは、平面内に配置される光源と、該光源から出射される光を拡散させることにより照度の平面内分布を一様にする拡散シートと、該拡散シートの出射面に対向する面とは反対側の面に三角形状プリズム列を有して光の指向角を三角形状プリズム列の稜線方向と直交する方向に絞り込んで出射する第１のプリズムシートと、該第１のプリズムシートの出射面に対向する面とは反対側の面に三角形状プリズム列が形成されかつ該三角形状プリズム列の稜線方向は前記第１のプリズムシートの三角形状プリズム列の稜線方向に直交し光の指向角を三角形状プリズム列の稜線方向と直交する方向に絞り込んで出射する第２のプリズムシートと、を有することを特徴とする請求項１〜請求項３のいずれかに記載のバックライト装置。
【請求項５】
前記バックライトユニットの光源は、冷陰極蛍光管（ＣＣＦＬ）、熱陰極蛍光管（ＨＣＦＬ）、外部電極蛍光灯（ＥＥＦＬ）、発光ダイオード（ＬＥＤ）のいずれかを、単独か、あるいは、それらを組み合わせて用いた構成であることを特徴とする請求項１〜請求項４のいずれかに記載のバックライト装置。
【請求項６】
前記拡散シートと第１のプリズムシートが一体に形成されていることを特徴とする請求項４に記載のバックライト装置。
【請求項７】
透過型の液晶表示パネルと、
前記液晶表示パネルの背面に出射面が対向するように設けられたメインバックライトユニットと、
出射面の法線方向が前記メインバックライトユニットと異なるように前記メインバックライトユニットに隣接して配置されたサブバックライトユニットと、
を有し、
前記メインバックライトユニットと前記サブバックライトユニットの光源を独立に点灯、消灯、調光可能としたことを特徴とする液晶表示装置。
【請求項８】
前記サブバックライトユニットは、その出射面から出射される光の中心方向が前記メインバックライトユニットのそれと水平面内で交わるように、前記メインバックライトユニットの左右に隣接して配置された一対のバックライトユニットから構成されることを特徴とする請求項７に記載の液晶表示装置。
【請求項９】
前記サブバックライトユニットは、その出射面から出射される光の中心方向が前記メインバックライトユニットのそれと水平面内で交わるように、前記メインバックライトユニットの左右に隣接して配置された一対のバックライトユニットと、その出射面から出射される光の中心方向が前記メインバックライトユニットのそれと垂直面内で交わるように、前記メインバックライトユニットの上下に隣接して配置された一対のバックライトユニットと、から構成されることを特徴とする請求項７に記載の液晶表示装置。
【発明の詳細な説明】
【技術分野】
【０００１】
本発明は、広視野角化に対応可能なバックライト装置およびそれを備えた液晶表示装置に関する。
【背景技術】
【０００２】
従来、液晶表示装置では広視野角を得るために、透過型の液晶表示パネルの背後に面光源としてのバックライトユニットを配置し、さらに、液晶表示パネルとバックライトユニットとの間に散乱板などの光学シートを配置し、バックライトユニットか出射される光を光学シートにより散乱させるようにしていた。しかし、この構成では視野角を拡大するには、それに応じて高輝度の冷陰極管などの光源が必要となり、低消費電力と広視野角を両立することができなかった。
【０００３】
そこで、特許文献１には、図６に示すように、輝度の可変できるバックライトユニット１０１とし、バックライトユニットと液晶表示パネル１０２との間に光の散乱度合いを可変できる光学素子１０３を配置し、低消費電力モード（図６（ａ）参照）ではバックライトの輝度を小さくするとともに光学素子の光散乱度合いを小さくし、広視野角モード（図６（ｂ）参照）ではバックライトの輝度を大きくするとともに光学素子１０３の光散乱度合いを大きくするようにすることを提案している。特許文献１では、光散乱度合いを可変できる光学素子の例として、高分子分散型液晶（ＰＤＬＣ）を開示している。
【０００４】
また、特許文献２に開示されたバックライト装置を図７を参照して簡単に説明する。導光板２０１の端面側には、第１の光源２０２が配置され、導光板２０１の光の取り出し側にはプリズムシート２０３が、導光板２０１と向かい合う面側は三角形状プリズム列となるように配置されている。第１の導光板２０１のプリズムシート２０３と反対側面には、視野角調整フィルム２０５を介して第２の光源２０４が配置され、第２の光源２０４からの光は、視野角調整フィルム２０５を介して第２の光源２０４が配置され、第２の光源２０４からの光は、視野角調整フィルム２０５により第２の光源２０４から出射された光の角度分布を狭められて、プリズムシート２０３の出射面に法線方向に指向性を有すように制御されている。
【０００５】
このバックライト装置によると、プリズムシート２０３の出射面の法線方向に対して斜め方向に指向性を有する光がプリズムシート２０３の三角形状プリズム列に入射し、三角形状プリズム列の斜面で反射して正面方向に出射する。また、プリズムシート２０３の出射面の法線方向に指向性を有する光が、プリズムシート２０３の三角形状プリズム列に入射し、プリズムシート２０３で屈折して、プリズムシート２０３から左右方向に出射する。したがって、液晶表示パネルはバックライト装置によって正面方向と左右方向の両方から照射され、視野角が広範囲になる。
【先行技術文献】
【特許文献】
【０００６】
【特許文献１】特開平９−１０５９０７号公報（段落［００２７］〜［００３４］、［００６２］〜［００６５］、図１、図９）
【特許文献２】特開２００８−２３５２４５号公報（段落［００１１］、図３）
【発明の概要】
【発明が解決しようとする課題】
【０００７】
特許文献１では、低消費電力モードと広視野角モードとで、光学素子１０３を透過した光の色温度が異なり、液晶表示パネル１０２の画面全体の色相が変化する問題がある（色温度が高いと、画面が青っぽくなり逆に低いと赤っぽくなる）。色温度は、大抵のテレビでは調整でき、視聴モード（ダイナミックモード、標準モード、映画モード、ゲームモード、ＰＣモード等）や、ユーザーの好みに応じて設定することができる。低消費電力モードと広視野角モードで、色温度が変わってしまうと、モード切替のつど調整しなければなければならなくなり、また、場合によっては、調整することができない色温度になってしまう問題がある。
【０００８】
また、ＰＤＬＣ特有の問題として、光散乱度合いに波長依存性があり、短波長(青側)がよく散乱され、長波長(赤側)は散乱されにくい傾向がある。したがって、画面の中央部が赤っぽくなり、周辺部が青っぽくなるといったように、画面に色相むらができる問題がある。そして、ＰＤＬＣの製造コストおよび、制御用の部品のコスト分が高くなる問題がある。また、ＰＤＬＣのパネル全面に均一に電圧をかける制御をしなければならないので、液晶表示パネルが大型になるほど、電流損失分の電圧低下が生じ、電極からの距離によって電圧が変化してしまいます。それを抑制しようとすると、パネル内部にＴＦＴをつけたり容量をつけたりしなければならなくなり、さらに製造コストが増大する。よって、液晶表示パネルの大型化への適用が困難である。
【０００９】
特許文献２では、第２の光源２０４から出射される光のロスが大きくなる問題がある。なぜなら、特許文献２では、導光板２０１の端面に配置された第１の光源２０２の光が導光板２０１から出射された際に、出射面の法線方向に対して斜め方向（例えば、６０°）に指向性を持つ導光板２０１を用いているため、導光板の特性としてもともと法線方向には光が出射されにくくなっているからである。また、第１の光源２０２の光は導光板２０１の出射面と反対側の面からも出射される（漏れる）が、この光が反射されない（特許文献２には漏れる光は、視野角調整フィルム２０５によって吸収されると記載されている。）ため第１の光源２０４から出射される光も半分近くロスされる。よって、低消費電力化に不向きである。また、第１及び第２の光源２０２、２０４に使用される蛍光管を垂直に用いることにより水銀等が重力で偏り、光学的むらや寿命低下の問題がある。
【００１０】
本発明は、上記の問題点に鑑みてなされたものであり、消費電力が低く、液晶表示パネルの大型化にも対応可能な広視野角のバックライト装置及び液晶表示装置を低コストに提供することを目的とする。
【課題を解決するための手段】
【００１１】
上記目的を達成するために本発明は、出射面の法線方向に指向性を有する光を出射する複数のバックライトユニットを備えたバックライト装置であって、複数の前記バックライトユニットは、その出射面の法線方向が互いに異なる方向となるように配置されると共に、バックライトユニット単位で、光源を独立に点灯、消灯、調光可能とされたことを特徴としている。
【００１２】
この構成によると、複数のバックライトユニットの光源をすべて点灯することにより、異なる角度から被照明物が背後から照らされるので広視野角を実現でき、複数のバックライトユニットの光源をバックライトユニット単位で個別に点灯、消灯することにより、不要なバックライトユニットに電力が消費されないので低消費電力を実現できる。また、バックライトユニット単位で光源を独立に点灯、消灯、調光する方式なので、制御は複雑なものではなく、色むらの問題もないため、液晶表示パネルの大型化にも対応可能な広視野角のバックライト装置を低コストに提供できる。
【００１３】
また本発明は、上記構成において、前記バックライトユニットは、プリズムシートによって出射面の法線方向に対する光の指向角が６０°以内に絞られていることを特徴としている。この構成によると、複数の前記バックライトユニットを、その出射面から出射される光の中心方向が６０°以下の角度で互いに交わるように配置することにより、広視野角を実現できる。
【００１４】
ここで、前記バックライトユニットは、平面内に配置される光源と、該光源から出射される光を拡散させることにより照度の平面内分布を一様にする拡散シートと、該拡散シートの出射面に対向する面とは反対側の面に三角形状プリズム列を有して光の指向角を三角形状プリズム列の稜線方向と直交する方向に絞り込んで出射する第１のプリズムシートと、該第１のプリズムシートの出射面に対向する面とは反対側の面に三角形状プリズム列が形成されかつ該三角形状プリズム列の稜線方向は前記第１のプリズムシートの三角形状プリズム列の稜線方向に直交し光の指向角を三角形状プリズム列の稜線方向と直交する方向に絞り込んで出射する第２のプリズムシートと、を有するものを好適に用いることができる。
【００１５】
これによれば、光源に蛍光管を用いる場合でも、水平方向に配向できるので、水銀等が重力で偏る心配がなく、光学的むらや寿命低下の問題を解決できる。
【００１６】
ここで、前記バックライトユニットの光源は、冷陰極蛍光管（ＣＣＦＬ）、熱陰極蛍光管（ＨＣＦＬ）、外部電極蛍光灯（ＥＥＦＬ）、発光ダイオード（ＬＥＤ）のいずれかを、単独か、あるいは、それらを組み合わせて用いた構成とすることができる。そして、前記拡散シートと第１のプリズムシートが一体に形成してもよい。
【００１７】
また、本発明の液晶表示装置は、透過型の液晶表示パネルと、前記液晶表示パネルの背面に出射面が対向するように設けられたメインバックライトユニットと、出射面の法線方向が前記メインバックライトユニットと異なるように前記メインバックライトユニットに隣接して配置されたサブバックライトユニットと、を有し、前記メインバックライトユニットと前記サブバックライトユニットの光源を独立に点灯、消灯、調光可能としたことを特徴としている。
【００１８】
この構成によると、メインバックライトユニットとサブバックライトユニットの光源をすべて点灯することにより、異なる角度から液晶表示パネルが背後から照らされるので広視野角を実現でき、メインバックライトユニットとサブバックライトユニットの光源を個別に点灯、消灯することにより、不要なバックライトユニットに電力が消費されないので低消費電力を実現できる。また、バックライトユニット単位で光源を独立に点灯、消灯、調光する方式なので、制御は複雑なものとはならない。
【００１９】
そして、本発明の液晶表示装置は、上記構成において、前記サブバックライトユニットは、その出射面から出射される光の中心方向が前記メインバックライトユニットのそれと水平面内で交わるように、前記メインバックライトユニットの左右に隣接して配置された一対のバックライトユニットから構成されることを特徴としている。
【００２０】
この構成によると、サブバックライトユニットの出射面から出射される光の中心方向がメインバックライトユニットのそれと水平面内で交わるようになり、左右方向の視野角が拡大される。
【００２１】
或いは、本発明の液晶表示装置は、上記構成において、前記サブバックライトユニットは、その出射面から出射される光の中心方向が前記メインバックライトユニットのそれと水平面内で交わるように、前記メインバックライトユニットの左右に隣接して配置された一対のバックライトユニットと、その出射面から出射される光の中心方向が前記メインバックライトユニットのそれと垂直面内で交わるように、前記メインバックライトユニットの上下に隣接して配置された一対のバックライトユニットと、から構成されることを特徴としている。
【００２２】
この構成によると、サブバックライトユニットの出射面から出射される光の中心方向がメインバックライトユニットのそれと水平面内で交わると共に、垂直面内でも交わるようになり、左右方向のみならず上下方向の視野角も拡大される。
【発明の効果】
【００２３】
本発明によると、複数のバックライトユニットの光源をすべて点灯することにより、異なる角度から被照明物が背後から照らされるので広視野角を実現でき、複数のバックライトユニットの光源をバックライトユニット単位で個別に点灯、消灯することにより、不要なバックライトユニットに電力が消費されないので低消費電力を実現できる。また、バックライトユニット単位で光源を独立に点灯、消灯、調光する方式なので、色むらの問題もなく、液晶表示パネルの大型化にも対応可能な広視野角のバックライト装置および液晶表示装置を低コストに提供できる。
【図面の簡単な説明】
【００２４】
【図１】本発明の第１実施形態のバックライト装置を示す概略斜視図
【図２】図１におけるメイン及びサブの各バックライトユニットの拡大図
【図３】本発明の第１実施形態のバックライト装置を概略水平断面で示した光源の制御ブロック図
【図４】本発明の第１実施形態のバックライト装置を備えた液晶表示装置を概略水平断面で示した広視野角モード（ａ）、低消費電力モード（ｂ）の動作説明図
【図５】本発明の第２実施形態のバックライト装置を示す概略斜視図
【図６】特許文献１の従来のバックライト装置を示す概略断面図
【図７】特許文献２の従来のバックライト装置を示す概略斜視図
【発明を実施するための形態】
【００２５】
以下に本発明の実施形態を図面を参照して説明する。図１は第１実施形態のバックライト装置を示す概略斜視図である。図２は図１におけるメイン及びサブの各バックライトユニットの拡大図である。図３は第１の実施形態のバックライト装置を概略水平断面で示した光源の制御ブロック図である。
【００２６】
図１において、１はバックライト装置であり、バックライト装置１は、液晶表示パネルＰの背面に出射面が対向するように設けられたメインバックライトユニット２と、出射面の法線方向がメインバックライトユニット２のそれと異なるようにメインバックライトユニット２に隣接して配置されたサブバックライトユニット３，４と、を有している。
【００２７】
メインバックライトユニット２は、液晶表示パネルＰの真後ろから正面方向に光を照射するバックライトである。サブバックライトユニット３，４は、液晶表示パネルＰの斜め後方から斜め前方に光を照射するバックライトである。
【００２８】
メインバックライトユニット２の縦横寸法は液晶表示パネルＰの縦横寸法とほぼ同じである。サブバックライトユニット３，４の縦寸法は液晶表示パネルＰの縦寸法とほぼ同じであるが、横寸法は液晶表示パネルＰの横寸法より短く、その分コンパクトになっている。
【００２９】
図３に示すように、左右一対のサブバックライトユニット３，４は、その出射面から出射される光の中心方向が６０°以下の角度で互いに交わるように（出射面のなす角は１２０°）、メインバックライトユニット１の左右に隣接して水平方向に傾けて配向される。この配向において、メインバックライトユニット２の出射面の左右方向の一側稜線にサブバックライト３の一側稜線がほぼ重なり、メインバックライトユニット２の出射面の他側稜線にサブバックライトユニット４の一側稜線がほぼ重なる配置である。そして、この配向及び配置において、液晶表示パネルＰの背面からメインバックライトユニット２の出射面までの距離Ｌは、サブバックライトユニット３，４をその出射面の法線方向へ投影した場合に、液晶表示パネルＰの背面を含む面に投影された像が、液晶表示パネルＰの背面とほぼ一致するような距離に設定されている。
【００３０】
メイン及びサブの各バックライトユニット２，３，４は共通の構造を備える。すなわち、図２に示すように、光源５、拡散シート６、第１のプリズムシート７、第２のプリズムシート８を順に積層した構造を備えている。
【００３１】
光源５は、平面内に配置される。本実施形態に係る光源５としては、冷陰極蛍光管（ＣＣＦＬ）、熱陰極蛍光管（ＨＣＦＬ）、外部電極蛍光灯（ＥＥＦＬ）、発光ダイオード（ＬＥＤ）などを単独か、それらを組み合わせて用いることができる。
【００３２】
拡散シート６は、光源５から出射される光を拡散させることにより照度の平面内分布を一様にするものである。６ａは出射面である。拡散シート６としては、例えば、一般的なPETなどの透明基材の表面に光拡散樹脂や、微粒子を塗布したものなどを使用することができる。
【００３３】
第１のプリズムシート７は、拡散シート６の出射面６ａに対向する面７ａとは反対側の面に三角形状プリズム列７ｂが形成されていて、拡散シート６により拡散された光の指向角を三角形状プリズム列７ｂの稜線方向と直交する方向に絞り込む役割をする。本実施形態では三角形状プリズム列７ｂの稜線方向は、垂直方向に延在している。従って、第１のプリズムシート７を通過した光は水平方向に指向角が絞り込まれることになる。なお、第１のプリズムシート７は、拡散シート６と一体に形成してもよい。この場合は、部品点数が削減され、製造コストを低減できる。
【００３４】
第２のプリズムシート８は、第１のプリズムシート７の出射面に対向する面８ａとは反対側の面に三角形状プリズム列８ｂが形成され、かつ、該三角形状プリズム列８ｂの稜線方向は第１のプリズムシート７の三角形状プリズム列７ｂの稜線方向に直交する方向に配向されている。第２のプリズムシート８は、第１のプリズムシート７により絞り込まれた光の指向角を三角形状プリズム列８ｂの稜線方向と直交する方向にさらに絞り込む役割をする。本実施形態では、三角形状プリズム列８ｂの稜線方向は、水平方向に延在している。従って、第２のプリズムシート８を通過した光は垂直方向に指向角が絞り込まれることになる。
【００３５】
つまり、拡散シート６により拡散された光の指向角は、第１のプリズムシート７により水平方向に絞られるとともに、第２のプリズムシート８により垂直方向に絞られることになる。よって、バックライトユニットから出射される光は、出射面の法線方向に対してある程度の角度範囲内に光の指向角が収まるようになる。その結果、平行光に近い光になり、輝度が上昇する。
【００３６】
図３に示すように、メイン及びサブの各バックライトユニット２，３，４の光源５は、各光源に接続された駆動部５２，５３，５４を介して光源制御部９により独立で制御され、バックライトユニット単位で点灯、消灯、調光可能となっている。「調光」は、大きく分けて電流調光とバースト調光があり、前者は、蛍光管に流す電流量を調整することによって調光し、後者は、高い周波数で点灯と消灯を行いそれぞれの期間の長さ（デューティー比）を変えることによって調光するものである。
【００３７】
本実施の形態に係るプリズムシート７、８は、例えば住友スリーエム（株）製の輝度上昇フィルム（商品名：BEF II 90/50）を直交で二枚使用することで、法線方向の輝度上昇
率が１．９５倍となる。よって、消費電力もほぼその割合で小さくできる。すなわち、低消費電力モードでは、プリズムシートを用いない場合に比べて約半分の電力消費に抑えられる。この場合、出射光の半値幅は５８°となる。従って、サブバックライトユニット３，４を、その出射面から出射される光の中心方向がメインバックライトユニット２のそれに対して約６０°の角度で交わるように配向すれば、その角度で視野角を拡大することができる。
【００３８】
＜広視野角モード＞
以上のバックライト装置１の構成で、図４（ａ）に示すように、液晶表示パネルＰの各画素の透過率を映像信号に応じて制御しながら、光源制御部９により駆動部５１，５２，５３を動作させてメイン及びサブのバックライトユニットの光源をすべて点灯（及び調光）することにより、液晶表示パネルＰは背後から正面方向及び左右斜め方向に照らされるので、液晶表示パネルＰの正面側では左右方向に視野角が広がり、映像を広視野角での視聴を実現できる。このモードは、液晶表示パネルＰに全員が正対できない多人数での視聴に適している。
【００３９】
＜低消費電力モード＞
また上記のバックライト装置の構成で、図４（ｂ）に示すように、液晶表示パネルＰの各画素の透過率を映像信号に応じて制御しながら、光源制御部９により駆動部５１を動作させてメインバックライトユニット２を点灯（及び調光）し、駆動部５２，５３は停止させてサブバックライトユニット２，３を消灯することにより、不要なバックライトユニット（サブバックライトユニット）に電力が消費されないので正面輝度を確保しながら低消費電力を実現できる。このモードは、液晶表示パネルＰに全員が正対できる少人数での視聴に適している。
【００４０】
なお、本実施形態ではサブバックライトユニット３，４を左右とも一括で点灯、消灯、調光の制御をさせるようにしたが、左と右で個別に制御するようにすることもできる。それによれば、液晶表示パネルＰの正対しない人が左と右のどちらかに偏っている場合など細かな視聴の状況への対応が可能となる。
【００４１】
本実施形態では、バックライトユニット単位で光源を独立に点灯、消灯、調光する方式なので、制御は複雑なものとはならず、ＰＤＬＣなどの光学素子に比べて低コストで広視野角を実現できるというメリットがある。
【００４２】
次に本発明の第２の実施形態について説明する。図５は第２の実施形態のバックライト装置を示す斜視図である。この図において、上記第１の実施形態と同一部分には同一符号を付して説明を省略する。
【００４３】
本実施形態では、図５に示すように、第１の実施形態で説明したメインバックライトユニット２の左右に配置されたサブバックライトユニット３，４に加えて、メインバックライトユニット２の上下にも隣接してサブバックライトユニット１１，１２が設けられている。サブバックライトユニット１１，１２の構造は、上記で説明したのと同一の構造である。すなわち、光源５、拡散シート６、第１のプリズムシート７、第２のプリズムシート８を順に積層した構造を備える。
【００４４】
上下のサブバックライトユニット１１、１２の横寸法は液晶表示パネルＰの横寸法とほぼ同じであるが、縦寸法は液晶表示パネルＰの縦寸法より短く、その分コンパクトになっている。上下のサブバックライトユニット１１，１２の配向及び配置は、左右のサブバックライトユニット３，４の配向及び配置をメインバックライトユニット２の上下方向に変更した以外は上記で説明したのと同じである。
【００４５】
本実施形態では、左右のサブバックライトユニット３，４の出射面から出射される光の中心方向がメインバックライトユニットのそれと水平面内で交わると共に、サブバックライトユニット１１，１２の出射面から出射される光の中心方向がメインバックライトユニット２のそれと垂直面内でも交わるようになり、広視野角モードでは左右方向のみならず上下方向の視野角の拡大も可能となる。これにより、大人と子供のように、視点の高さが異なる複数の人が同時に視聴する場合に、上下方向の視野角の拡大にも対応できる。
【００４６】
なお、本実施形態では広視野角モードを、左右のサブバックライトユニット３，４と上下のサブバックライトユニット１１，１２の光源を別々に点灯、消灯、調光の制御をさせるようにしてもよい。そうすれば、大人数で視聴する場合は、左右のサブバックライトユニット３、４とメインバックライトユニット２を動作させることにより左右に視野角を広げ、大人と子供のように視点の高さが違う人が視聴する場合は、上下のサブバックライトユニット１１，１２とメインバックライトユニット２を動作させることにより上下に視野角を広げ、両方のケースでは全バックライトユニット２，３，４，１１，１２を動作させて上下左右に視野角を広げるなど、きめ細かな視聴の状況に対応することができるようになる。
【００４７】
もちろん、サブバックライトユニット３，４，１１，１２をバックライトユニット単位で個別に制御するようにすることもできる。それによれば、液晶表示パネルＰの正対しない人が左と右のどちらかに偏っている場合、視点の低い子供だけで見る場合などより細かな視聴の状況への対応が可能となる。
本実施形態では、バックライトユニット単位で光源を独立に点灯、消灯、調光する方式なので、制御は複雑なものとはならないというメリットがある。
【産業上の利用可能性】
【００４８】
本発明は、液晶表示装置のバックライト装置として利用することができる。
【符号の説明】
【００４９】
１  バックライト装置
２  メインバックライトユニット
３，４，１１，１２  サブバックライトユニット
５  光源
６  拡散シート
７  第１のプリズムシート
８  第２のプリズムシート
９  光源制御部
Ｐ  液晶表示パネル
【図１】
2010218739.tif 000003
【図２】
2010218739.tif 000004
【図３】
2010218739.tif 000005
【図４】
2010218739.tif 000006
【図５】
2010218739.tif 000007
【図６】
2010218739.tif 000008
【図７】
2010218739.tif 000009